(57)【要約】      （修正有）【課題】被覆体に装着し易いと共に、折り返し部の強度を強くしたシーツの提供。【解決手段】部分的に縫製する部位は、破線で示すように、折り返し部１１の端部に沿う、シーツ本体１の裏面側から見て左に位置し折り返し部１１の端部１１ａに平行な第１の直線部Ｘと、折り返し部１１の折り返し縁１１ｂへ向かい水平な第１の直線部Ｘに対して垂直な第１の直線部Ｙと、この垂直な第１の直線部Ｙと平行な第１の直線部Ｘとを接続する第１の曲線部Ｚと、折り返し部１１の端部１１ａに沿う、シーツ本体１の裏面側から見て右に位置し折り返し部１１の端部１１ａに平行な第２の直線部Ｘ’と、折り返し部１１の折り返し縁１１ｂへ向かい水平な第２の直線部Ｘ’に対して垂直な第２の直線部Ｙ’と、この垂直な第２の直線部Ｙ’と平行な第２の直線部Ｘ’とを接続する第２の曲線部Ｚ’とを有する。【選択図】図１
0003111584.tif 000002
【実用新案登録請求の範囲】
【請求項１】
被覆体を覆うシーツであって、
矩形形状のシーツ本体と、
このシーツ本体の短辺側の端部を折り返した折り返し部と、
この折り返し部と該折り返し部と対応する前記シーツ本体の部分とを部分的に縫製するもので、
該部分的に縫製する部位は、
前記折り返し部の端部に沿う、前記シーツ本体の裏面側から見て左に位置し前記折り返し部の端部に平行な第１の直線部と、前記折り返し部の折り返し縁へ向かい前記水平な第１の直線部に対して垂直な第１の直線部と、この垂直な第１の直線部と前記平行な第１の直線部とを接続する第１の曲線部と、
前記折り返し部の端部に沿う、前記シーツ本体の裏面側から見て右に位置し前記折り返し部の端部に平行な第２の直線部と、前記折り返し部の折り返し縁へ向かい前記水平な第２の直線部に対して垂直な第２の直線部と、この垂直な第２の直線部と前記平行な第２の直線部とを接続する第２の曲線部と、
前記平行な第１の直線部と前記平行な第２の直線部との間に、前記被覆体の端部が位置するものであり、
前記第１の曲線部と前記第２の曲線部とは、前記被覆体の端部に装着しやすいように、前記折り返し部の前記被覆体の挿入側が広くなる曲線に形成されていることを特徴とするシーツ。
【請求項２】
被覆体は、マットレス、敷き布団の内のいずれかであり、
第１の曲線部と第２の曲線部とは、前記折り返し部の前記被覆体の端部に装着し易いように、前記被覆体の挿入側が広く、折り返し部の折り返し縁に向かって狭くなる曲線に形成されていることを特徴とする請求項１記載のシーツ。
【考案の詳細な説明】
【技術分野】
【０００１】
本考案は、ふとんなどの敷布であるシーツに係り、特に、被覆体に装着し易いと共に、折り返し部の強度を強くすることができるシーツに関する。
【背景技術】
【０００２】
従来、被覆体の端部に装着するシーツがある（例えば、特許文献１参照）。
これは、シーツ本体の短辺側の端部を折り返し、折り返し部を保持するために、
縦縫着部と、この縦縫着部に直交する横縫着部とを有している。
【特許文献１】特許第３４３３３４９号公報
【考案の開示】
【考案が解決しようとする課題】
【０００３】
しかしながら、上述したシーツにあっては、横縫着部が直線状に縫製されているため、対向する横縫着部の角部に被覆体が引っかかり、装着しづらく、また  、シーツが洗濯される際、折り返し部をシーツ本体から離脱する方向に力が作用した場合、直線状の横縫着部の端部に該力が集中し、縫製部分が破れ易いという問題点が生じた。
本考案は、前記した問題点を除去するようにしたシーツを提供することを目的としている。
【課題を解決するための手段】
【０００４】
前記した目的を達成するための請求項１記載のシーツは、被覆体を覆うシーツであって、矩形形状のシーツ本体と、このシーツ本体の短辺側の端部を折り返した折り返し部と、この折り返し部と該折り返し部と対応する前記シーツ本体の部分とを部分的に縫製するもので、該部分的に縫製する部位は、前記折り返し部の端部に沿う、前記シーツ本体の裏面側から見て左に位置し前記折り返し部の端部に平行な第１の直線部と、前記折り返し部の折り返し縁へ向かい前記水平な第１の直線部に対して垂直な第１の直線部と、この垂直な第１の直線部と前記平行な第１の直線部とを接続する第１の曲線部と、前記折り返し部の端部に沿う、前記シーツ本体の裏面側から見て右に位置し前記折り返し部の端部に平行な第２の直線部と、前記折り返し部の折り返し縁へ向かい前記水平な第２の直線部に対して垂直な第２の直線部と、この垂直な第２の直線部と前記平行な第２の直線部とを接続する第２の曲線部と、前記平行な第１の直線部と前記平行な第２の直線部との間に、前記被覆体の端部が位置するものであり、前記第１の曲線部と前記第２の曲線部とは、前記被覆体の端部に装着しやすいように、前記折り返し部の前記被覆体の挿入側が広くなる曲線に形成されているものである。
【０００５】
また、請求項２記載のシーツは、請求項１記載のシーツにおいて、被覆体は  、マットレス、敷き布団の内のいずれかであり、第１の曲線部と第２の曲線部とは、前記折り返し部の前記被覆体の端部に装着し易いように、前記被覆体の挿入側が広く、折り返し部の折り返し縁に向かって狭くなる曲線に形成されているものである。
【考案の効果】
【０００６】
請求項１又は２記載のシーツによれば、シーツを被覆体に装着し易く、しかも、シーツが洗濯される際、折り返し部をシーツ本体から離脱する方向に力が作用しても、縫製部分に、曲線形状に縫製された第１の曲線部、第２の曲線部を有するため、該力が集中せず、縫製部分の強度を強く保持することができる。
【考案を実施するための最良の形態】
【０００７】
本考案の一実施例のシーツを図面を参照して説明する。
図１乃至図７において、Ａは、被覆体１０を覆うシーツ（ふとんなどの敷布）である。被覆体１０は、例えば、マットレス、敷き布団である。
【０００８】
シーツＡは、矩形形状のシーツ本体１を有し、１１は、シーツ本体１の短辺側の端部を折り返した折り返し部である。
折り返し部１１と該折り返し部１１と対応するシーツ本体１の部分とは部分的に縫製されている（縫製されている部位は、図１に破線で示されている。）。
【０００９】
部分的に縫製する部位は、図１に破線で示すように、折り返し部１１の端部に沿う、シーツ本体１の裏面側から見て左に位置し折り返し部１１の端部１１ａに平行な第１の直線部Ｘと、折り返し部１１の折り返し縁１１ｂへ向かい水平な第１の直線部Ｘに対して垂直な第１の直線部Ｙと、この垂直な第１の直線部Ｙと平行な第１の直線部Ｘとを接続する第１の曲線部Ｚと、折り返し部１１の端部１１ａに沿う、シーツ本体１の裏面側から見て右に位置し折り返し部１１の端部１１ａに平行な第２の直線部Ｘ’と、折り返し部１１の折り返し縁１１ｂへ向かい水平な第２の直線部Ｘ’に対して垂直な第２の直線部Ｙ’と、この垂直な第２の直線部Ｙ’と平行な第２の直線部Ｘ’とを接続する第２の曲線部Ｚ’とを有している。
【００１０】
上述した平行な第１の直線部Ｘ、垂直な第１の直線部Ｙ及び第１の曲線部Ｚは、連続的に縫製される。また、平行な第２の直線部Ｘ’、垂直な第２の直線部Ｙ’及び第２の曲線部Ｚ’は、連続的に縫製される。
そして、平行な第１の直線部Ｘと平行な第２の直線部Ｘ’との間に、図２（ａ）及び図４に示すように、被覆体１０の端部が挿入されるものである。その際、第１の曲線部Ｚと第２の曲線部Ｚ’とは、被覆体１０の端部に装着しやすいように、折り返し部１１の被覆体１０の挿入側１１Ｌ、１１Ｒが広くなる曲線に形成されている。
なお、より好ましくは、図２に示すように、第１の曲線部Ｚと第２の曲線部Ｚ’とは、被覆体１０の端部に装着しやすいように、折り返し部１１の被覆体１０の挿入側１１Ｌ、１１Ｒが広く、折り返し部１１の折り返し縁１１ｂに向かって狭くなる曲線に形成されているのが良い。
【００１１】
その結果、シーツＡを被覆体１に装着し易く、しかも、シーツＡが洗濯される際、折り返し部１１をシーツ本体１から離脱する方向に力が作用しても、縫製部分に、曲線形状に縫製された第１の曲線部Ｚ、第２の曲線部Ｚ’を有するため、該力が集中せず、縫製部分の強度を強く保持することができる。
なお、シーツＡは、図２（ａ）及び図４の状態［図２（ａ）（ｂ）は、被覆体１の裏面側から見た図であり、図２（ｂ）に示す矢印は、折り返し部１１内の空気の流れを示している。］から（ｂ）の状態にして、つまり、シーツＡの折り返し部１１で被覆体１の端部を覆う。覆った後、図３［図３は、被覆体１の裏面側から見た図である。］及び図５に示すように、被覆体１の他方の端部をシーツＡの折り返し部１１と反対側の端部を折り返して覆い、その後、被覆体１を覆うようにシーツＡの左端部及び右端部を折り返して被覆体１の下に位置させる（図６参照）。
【図面の簡単な説明】
【００１２】
【図１】図１は、本考案の一実施例であるシーツを展開し、シーツの裏面側から見た概略的斜視図である。
【図２】図２（ａ）は、図１のシーツを被覆体の端部に装着する前の状態を裏面側から見た図であり、図２（ｂ）シーツを被覆体の端部に装着した状態をシーツの裏面側から見た図である。
【図３】図３は、シーツを被覆体の端部に装着した後、シーツの他方の端部、シーツの左端部及び右端部を折り返す前の状態をシーツの裏面側から見た図である。
【図４】図４は、シーツを被覆体の端部に装着する前の状態をシーツの表面側から見た図である。
【図５】図５は、シーツを被覆体の端部に装着した後、シーツの他方の端部を折り返した状態をシーツの表面側から見た図である。
【図６】図６は、シーツを被覆体の端部に装着した後、シーツの他方の端部、シーツの左端部及び右端部を折り返した状態のシーツの表面側から見た図である。
【符号の説明】
【００１３】
Ａ…シーツ
１  …シーツ本体
１１  …折り返し部
１１ｂ…折り返し縁
Ｘ  …水平な第１の直線部
Ｘ’…平行な第２の直線部
Ｙ  …垂直な第１の直線部
Ｙ’…垂直な第２の直線部
Ｚ  …第１の曲線部
Ｚ’…第２の曲線部
【図１】
0003111584.tif 000003
【図２】
0003111584.tif 000004
【図３】
0003111584.tif 000005
【図４】
0003111584.tif 000006
【図５】
0003111584.tif 000007
【図６】
0003111584.tif 000008